(57)【要約】【課題】通信機能を必要としない付加機能を電波が全く出力されない状態で使用することができる携帯通信端末を提供すること、並びに、端末を電波が全く出力されない状態に設定して付加機能を使用しているときは、端末が電波の全く出力されない状態にあることを周囲に明示することができる携帯通信端末を提供すること。【解決手段】無線通信機能を担う通信部１４への給電路と通信部１４を除いた残りの回路３０に供給する給電路とを独立した構成にするとともに、無線通信機能を担う通信部１４を除いた残りの回路３０にのみ給電するモードを設け、無線通信を必要としない付加機能の実行（アドレス帳へのデータ入力やゲームの実施など）は、装置をこのモードにして行う。通信部１４に電源が供給されていないため、付加機能を実行している最中に電波が出力されることはない。また、このモードの時、オフラインマーカにより、端末がオフラインで電波を全く出力しないモードにあることを周囲に知らせる。【選択図】　　図３
2004096415.tif 000002
【特許請求の範囲】
【請求項１】
無線通信機能と該無線通信機能を使用すること無しに実行することが可能な付加機能とを備えた携帯通信端末において、
電波を出力出来るモードと電源オン状態にありながら電波を全く出力出来ないモードとを択一的に設定するモード設定手段を有することを特徴とする携帯通信端末。
【請求項２】
前記モード設定手段は、前記無線通信機能を担う回路を除いた残りの全部或いは一部の回路にのみ電源を供給する電源供給手段を有することを特徴とする請求項１に記載の携帯通信端末。
【請求項３】
前記モード設定手段により端末のモードを電源オン状態にありながら電波を全く出力出来ないモード設定した際に、当該端末がオフライン状態にあることを明示する明示手段を設けたことを特徴とする請求項１又は２に記載の携帯通信端末。
【発明の詳細な説明】
【０００１】
【発明の属する技術分野】
本発明は、通信手段として無線を使用する携帯通信端末、より具体的には、携帯電話機や無線通信機能を備えた携帯情報端末のような携帯通信端末に関する。
【０００２】
【従来の技術】
近年、携帯電話機などの携帯通信端末が普及し、通信の利便性が飛躍的に向上している。しかし、携帯通信端末、特に携帯電話機では、通話中に携帯電話機から出力される電波が周囲にあるペースメーカなどの医療機器に悪影響を及ぼすという理由で、病院内や電車などの公衆交通機関内ではその使用を禁止或いは、自粛することが要請されている。このような情勢の中で、電車内では、「携帯電話の電源を切ってそのご使用をご遠慮下さい。」などの車内アナウンスが流されている。
【０００３】
携帯電話機は、着信（呼出し）があった時、自動的に着信応答信号が基地局に送信され（実際には、着信応答信号に先立ってリンクチャネル確立要求信号も基地局に送信される）、また、通信エリアが切り替わった時には自動的に位置登録信号が基地局に送信される（実際には、位置登録信号に先立ってリンクチャネル確立要求信号も基地局に送信される）構成になっている。つまり、携帯電話機は、通話中ではない待ち受け状態でも電波を出力する構成になっている。従って、上記のように携帯電話機の電源を切っておかないと、通話等のユーザが意識して行う通信動作をしていない時でも電波を出力するため、周囲にある医療機器などに悪影響を及ぼしてしまう。
【０００４】
【発明が解決しようとする課題】
ところで最近の携帯電話機には、データ入力やデータ検索などの通信機能を用いない作業（オフライン作業）がメインであるアドレス機能やスケジュール機能などを有するものがあり、また、予めインストール或いはダウンロードしたゲームや曲を楽しむことができる機能を有するものもある。
【０００５】
しかし、従来の携帯電話機では、上記のようなアドレス機能やスケジュール機能、ゲーム機能を使用する為に電源をオンにした場合でも、同時に通信機能部がオン状態になり、データ入力やデータ検索をしている最中やゲームを楽しんでいる最中に、着信応答信号や位置登録信号等が基地局に送信される等、ユーザが知らない間に電波が出力されてしまうことがある。これでは、病院内や電車内の携帯電話の使用禁止場所や自粛場所では、通信機能を用いない上記のようなオフライン作業（アドレスやスケジュールなどのデータ入力やデータ検索、ゲームなど）であっても自粛しなければならないという不都合があった。
【０００６】
また、電子メールの送受信は通信機能がオン状態でなければならないが、メール文などは通信機能をオフにした状態でも作成可能である。しかし、上記と同様の理由で、携帯電話の使用禁止場所や自粛場所では、時間的余裕があってもメールの作成ができないという不都合があった。
【０００７】
本発明は、上述の如き従来の課題を解決するためになされたもので、その第１の目的は、通信機能を必要としない付加機能を電波が全く出力されない状態で使用することができる携帯通信端末を提供することにあり、その第２の目的は、端末を電波が全く出力されない状態に設定して付加機能を使用しているとき、端末が電波の全く出力されない状態にあることを周囲に明示することができる携帯通信端末を提供することにある。
【０００８】
【課題を解決するための手段】
この発明の手段は以下の通りである。
【０００９】
請求項１の発明は、無線通信機能と該無線通信機能を使用すること無しに実行することが可能な付加機能とを備えた携帯通信端末において、電波を出力出来るモードと電源オン状態にありながら電波を全く出力出来ないモードとを択一的に設定するモード設定手段を有することを特徴とする。
【００１０】
上記発明によれば、モード設定手段により端末のモードを電波を全く出力出来ないモードに設定すると、携帯通信端末が電波を全く出力しない状態の中で付加機能を実行することが可能な状態となる。
【００１１】
請求項２の発明は、前記請求項１において、前記モード設定手段は、前記無線通信機能を担う回路を除いた残りの全部或いは一部の回路にのみ電源を供給する電源供給手段を有することを特徴とする。
【００１２】
上記発明によれば、モード設定手段により端末のモードを電波を全く出力出来ないモードを設定すると、無線通信機能を担う回路を除いた残りの全部或いは一部の回路にのみ電源が供給されるので、通信機能は動作しないが付加機能は実行可能な状態が維持される。
【００１３】
請求項３の発明は、前記請求項１又は２において、前記モード設定手段により端末のモードを電源オン状態にありながら電波を全く出力出来ないモード設定した際に、当該端末がオフライン状態にあることを明示する明示手段を設けたことを特徴とする。
【００１４】
上記発明によれば、モード設定手段により端末のモードを電波を全く出力出来ないモードに設定すると、当該端末がオフライン状態にあることが周囲の人に明示される。
【００１５】
【発明の実施の形態】
以下、本発明の実施の形態を図面に基づいて説明する。
第１の実施の形態
図１は、本発明の第１の実施の形態に係る携帯電話機の外観を示した斜視図である。本例の携帯電話機１は、ケース２の表面側にボタン操作部３、表示部４、受話用のスピーカ孔５、及び送話用のマイク孔６が設けられ、上端面側にアンテナ７、及びオフラインマーカ表示部８が設けられ、側面側に電源スイッチ９が設けられ、更に図示されていないがケース２の裏面側に着信報知用のスピーカ孔が設けられている。
【００１６】
オフラインマーカ表示部８は、アドレスなどのデータ入力やデータ検索、ゲームなどを行っているとき、通信機能を用いないオフライン作業であることを周囲の人に知らしめるための表示部であり、その表示方式は電気的なものであっても機械的なものであってもよい。電気的な表示方式としては、ケース２の一部を透明或いは半透明にしてその内側にＬＥＤなどの発光素子を設け、オフライン作業に点灯させる方式があり、また機械的な表示方式としては、ケース２の一部を透明或いは半透明にしてその内側に磁石や磁性体で作ったスライド板を設け、電磁石でスライドさせる方式や、ケース２の一部を透明或いは半透明にしてその内側に少なくとも一部が有色のテープを設け、機械的にスライドさせる方式がある。
【００１７】
図２は、少なくとも一部が有色のテープを機械的にスライドさせる方式の具体例を説明するためのもので、同図はケース２の上ケース２ａを取り外した状態で要部のみを示したものである。図中、２ｂは下ケース、２ｃは下ケース２ｂに設けられた半透明部（オフラインマーカ表示部８の窓部）、９は回路基板１０上に搭載された３ポジションのスライド式電源スイッチ、８１は一端が巻き取りリール８２に固定され他端がスライド式電源スイッチ９のノブ９１に引っ掛けたれたテープ、８３はテープ８１のガイドリブである。テープ８１には、スライド式電源スイッチ９のノブ９１が図の如く下限まで引き下げられているとき（テープ８１が最大限引き出されているとき）とスライド式電源スイッチ９のノブ９１が上限まで押し上げられているとき（テープ８１が巻き取りリール８２に最大限巻き取られているとき）とがオフラインマーカ表示部８の窓部（ケースの半透明部２ｃ）から視認できるように、当該窓部を横切る部分に着色が施されている。尚、１７は回路基板１０上に搭載された受話用のスピーカである。
【００１８】
図３は、図１及び図２に示した携帯電話機の回路構成を示すブロック図である。携帯電話機は、携帯電話機の各種の個別制御及び全体の制御を行うＣＰＵ１１、ＣＰＵ１１を動作させるプログラムやデータを格納しているＲＯＭ１２、ＣＰＵ１１のワークメモリや個人情報や受信情報を記憶するデータメモリとして使用されるＲＡＭ１３、音声やデータをアンテナ７を介して送受信する通信部１４、電話番号や文字或いは各種指示などを入力するキー入力部１５（ボタン操作部３）、電話番号や各種データ及び画像を表示する表示部１６、受話音声を出力するスピーカ１７、送話音声を集音するマイク１８、着信報知音やゲームの効果音などを出力するスピーカ１９、スピーカ１７へ出力すべき通信部１４からの受話音声や通信部１４へ出力すべきマイク１８からの入力音声、並びにスピーカ１９へ出力すべきＣＰＵ１１からの音を処理する音声処理部２０、バッテリを含む電源回路２１、及び電源回路２１から発生された電源の通信部１４及び通信部１４を除いた残りの回路３０への給電をオン、オフする電源スイッチ部２２（スライド式電源スイッチ９によるスイッチング回路部）を有している。尚、２３はスライド式電源スイッチ９のノブ９１のスライド操作に従動するオフラインマーカ（前述したテープ８１の着色部）である。
【００１９】
ここで、通信部１４は、図示されない基地局からの送信信号をアンテナ７を介して受信する受信部１４１、受信信号を復調する復調部１４２、送信信号を変調する変調部１４３、変調信号をアンテナ７から送信する送信部１４４、復調部１４２で復調された受信信号及び変調部１４３へ出力する送信信号を所定の送信信号フォーマットに基づいて処理する（より具体的には、受信信号中のデータの音声処理部２０及びＣＰＵ１１への分配や、音声処理部２０及びＣＰＵ１１からのデータの送信信号への組み込みを行う）信号処理部１４５を有し、電源スイッチ部２２は、通信部１４への給電をオン、オフするスイッチＳＷ１と通信部１４を除いた残りの回路３０への給電をオン、オフするスイッチＳＷ２により構成されている。
【００２０】
次に本実施の形態の動作について説明する。本例の電源スイッチ９は、前述したように３ポジションのスライドスイッチで構成され、スライドスイッチ９のノブ９１を中央に位置させることで電源スイッチ部２２のスイッチＳＷ１、ＳＷ２は両方共オフとなり、電源回路２１からの電源は通信部１４にもその他の回路３０にも供給されず、携帯電話機１は電源オフ状態となる。電源スイッチ９のノブ９１を上側に押すと、スイッチＳＷ１、ＳＷ２が同時にオンして、電源回路２１からの電源が通信部１４及びその他の回路３０に供給されて、携帯電話機１全体がオンになる電源オンフルモードになって、全ての機能が使用可能状態になる。
【００２１】
しかし、この電源オンフルモード状態では、通信部１４を使用しない例えばゲームなどを行っている最中でも、例えば通信エリアが切り替わった時には、自動的に位置登録信号が通信部１４の送信部１４４から図示されない基地局に送信され、アンテナ７から電波が出力されてしまい（実際には、位置登録信号に先立ってリンクチャネル確立要求信号も基地局に送信される）、ペースメーカなどに悪影響を与える恐れがある。従って、電車などに乗っているときにこの電源オンフルモード状態でゲームを行うことは、望ましくない。
【００２２】
他方、電源スイッチ９のノブ９１を下側に引いた場合には、スイッチＳＷ２のみがオンになり、電源回路２１により発生した電源が通信部１４を除いたその他の回路３０にのみ供給される電源オンサブモードになる。また、このとき、テープ８１は巻き取りリール８２から機械的に引き出されてオフラインマーカ２２（テープ８１の着色部）がオフラインマーカ表示部８（半透明部２ｃ）に位置する。
【００２３】
電源オンサブモード状態は、通信部１４へ電源が供給されないので通信を行うことはできないが、ゲーム機能の実行に必要なＣＰＵ１１やＲＯＭ１２、ＲＡＭ１３、キー入力部１５（ボタン操作部１５）、表示部１６、スピーカ１９、音声処理部２０等の回路部には電源が供給され、これらの回路部は動作可能な状態にあるので、ゲームはこのような電源オンサブモード状態でも行うことができる。また、アドレスやスケジュールなどのデータ入力やデータ検索、メール文の作成、予め配信された曲の再生なども行うことができる。
【００２４】
つまり、この電源オンサブモード状態は、通信機能を除いたオフライン機能は全て動作させることができる。しかも、通信部１４には電源が供給されていないため、ゲームやデータ入力を行っている最中にアンテナ７から電波が送信されることはなく、周囲の人のペースメーカなどに悪影響を与える恐れもない。従って、電源オンサブモード状態は、電車などに乗っていてゲームなどを行う際には望ましいモード状態である。
【００２５】
しかも、この実施の態様では、電源オンサブモード状態にした場合、つまり、電源スイッチ９のノブ９１を下側に引いた場合、テープ８１が巻き取りリール８２から機械的に引き出されてオフラインマーカ２２（テープ８１の着色部）がオフラインマーカ表示部８（半透明部２ｃ）に位置し、端末１が通信機能の動作していないオフラインモードにあることを周囲に明示することになる。
【００２６】
従って、本実施の形態における電源オンサブモード状態であれば、電車の中で、ゲームや曲の再生、データ入力やデータ検索、メール文の作成などを行っていても、周囲の人のペースメーカなどに悪影響を与える恐れはなく、また周囲の人の顰蹙を買うこともなくなる。
【００２７】
前述した第１の実施の形態では、オフラインマーカの表示をテープを用いて機械的に行う構成例を示したが、次に、本発明の第２の実施の形態として、オフラインマーカの表示をＬＥＤなどの発光素子を用いて電気的に行う構成例を説明する。
【００２８】
第２の実施の形態
図４は、本実施の形態に係る携帯電話機の回路構成を示すブロック図である。この図４において、図３に示した第１の実施の形態に係る携帯電話機の回路構成と相違する部分は、電源スイッチ部４１とオフラインマーカ４２だけである。従って、以下の説明では、詳細な説明は電源スイッチ部４１とオフラインマーカ４２とに留め、残余の構成部については、同一番号を付し、その詳細な説明は省略する。
【００２９】
この第２の実施の形態における電源スイッチ部４１は、第１の実施の形態における電源スイッチ部２２と同様に３ポジションのスライド式電源スイッチ９に対応するものであるが、通信部１４への給電をオン、オフするスイッチＳＷ１、通信部１４を除いた残りの回路３０への給電をオン、オフするスイッチＳＷ２だけではなく、ＬＥＤなどの発光素子で構成されているオフラインマーカ４２への給電をオン、オフするスイッチＳＷ３を更に備えている。
【００３０】
次に本実施の形態の動作について説明する。
スライド式電源スイッチ９のノブ９１を中央に位置させることで電源スイッチ部４１の３つのスイッチＳＷ１、ＳＷ２、ＳＷ３は総てオフとなり、電源回路２１からの電源は通信部１４にもその他の回路３０にも供給されず、携帯電話機１は電源オフ状態となる。電源スイッチ９のノブ９１を上側に押すと、スイッチＳＷ１、ＳＷ２が同時にオンして、電源回路２１からの電源が通信部１４及びその他の回路３０に供給されて、携帯電話機１全体がオンになる電源オンフルモードになって、全ての機能が使用可能状態になる。
【００３１】
他方、電源スイッチ９のノブ９１を下側に引いた場合、スイッチＳＷ２とスイッチＳＷ３とがオンになり、電源回路２１により発生した電源は通信部１４を除いたその他の回路３０に供給される電源オンサブモードになるとともにオフラインマーカ４２（ＬＥＤなどの発光素子）が点灯する。点灯したオフラインマーカ４２の光はケース２のオフラインマーカ表示部８から外部へ出力されるので、このオフラインマーカ４２の点灯により、端末１が通信機能の動作していないオフラインモードにあることを周囲に明示することになる。
【００３２】
従って、この第２の実施の形態においても、第１の実施の形態と同様に、電源オンサブモード状態であれば、電車の中で、ゲームや曲の再生、データ入力やデータ検索、メール文の作成などを行っていても、周囲の人のペースメーカなどに悪影響を与える恐れはなく、また周囲の人の顰蹙を買うこともない。しかも、この第２の実施の形態では、オフラインマーカ４２としてＬＥＤなどの発光素子を用いているので、第１の実施の形態よりも機構が簡略化され、且つ周囲の人の視認性も向上する。
【００３３】
前述した第１及び第２の実施の形態では、電源スイッチとして３ポジションのスライド式電源スイッチを用いたが、次に、本発明の第３の実施の形態として、電源スイッチに押釦式スイッチを用いた構成例を説明する。
【００３４】
第３の実施の形態
図５は、本実施の形態に係る携帯電話機の回路構成を示すブロック図である。この図５において、図３及び図４に示した携帯電話機の回路構成と相違する部分は、電源スイッチ部５１とオフラインマーカ５２だけである。従って、以下の説明では、詳細な説明は電源スイッチ部５１とオフラインマーカ５２とに留め、残余の構成部については、同一番号を付し、その詳細な説明は省略する。
【００３５】
この第３の実施の形態における電源スイッチ部５１は、図３及び図４におけるスイッチＳＷ１、ＳＷ２をトランジスタＴｒ１、Ｔｒ２で構成してそのオン、オフをＣＰＵ１１によって制御するようにするとともに、押釦式の電源スイッチＳＷを電源回路２１とＣＰＵ１１との間に設けて電源スイッチＳＷの押釦が押されている間電源回路２１からＣＰＵ１１へ電源が供給される構成にしてある。なお、ユーザが電源スイッチＳＷをオンする際に操作する電源スイッチＳＷの押釦部は、第１及び第２の実施の形態におけるスライド式電源スイッチと同様に携帯電話機の側面に配置してもよいし、また携帯電話機の上面の操作ボタン部１５内の適当なところに配置してもよい。
【００３６】
また、この第３の実施の形態におけるオフラインマーカ５２は、第２の実施の形態におけるオフラインマーカ４２と同様にＬＥＤなどの発光素子で構成されているが、その点灯制御はＣＰＵ１１によって行われるようになっている。
【００３７】
次に本実施の形態の動作について説明する。
本実施の形態においては、電源回路２１からＣＰＵ１１へ電源供給は、電源スイッチＳＷを介して直接供給する方式と、トランジスタＴｒ２を介して表示部１６やスピーカ１９などの他の回路部とともに供給する方式とがあり、携帯電話機１の電源をオンする際には、先ず最初に電源スイッチＳＷを押す。
【００３８】
携帯電話機１が電源オフ状態にあるときに電源スイッチＳＷが押されると、電源回路２１からＣＰＵ１１へ電源が供給されてＣＰＵ１１が起動する。なお、ＣＰＵ１１は、例えばこの時の電源スイッチＳＷの押圧継続時間が１秒程度で、電源スイッチＳＷがオン状態にあることの検出やその継続時間の計測ができるものとする。
【００３９】
ＣＰＵ１１が電源スイッチＳＷのオン状態が所定時間（例えば２秒間）継続したことを検出すると、ＣＰＵ１１は電源スイッチ部５１のトランジスタＴｒ２をオン状態にして通信部１４を除いたその他の回路３０への給電を開始するとともに、オフラインマーカ５２を点灯し、電源スイッチＳＷのオン状態が更に所定時間（例えば２秒間）継続したことをＣＰＵ１１が検出すると、ＣＰＵ１１は電源スイッチ部５１のトランジスタＴｒ２をオン状態に維持したままトランジスタＴｒ１をオン状態にして通信部１４への給電を開始し、且つオフラインマーカ５２を消灯する。
【００４０】
すなわち、携帯電話機１が電源オフ状態にあるときに、ユーザが電源スイッチＳＷを３秒以上５秒以下の間押し続けると、電源回路２０により発生した電源が通信部１４を除いたその他の回路３０にのみ供給される電源オンサブモードになり、且つオフラインマーカ５２が点灯されて、端末がオフラインモードであることを周囲に明示する。
【００４１】
他方、携帯電話機１が電源オフ状態にあるときに、ユーザが電源スイッチＳＷを５秒以上押し続けると、電源回路２０により発生した電源が通信部１４と他の回路３０の両方に供給される電源オンフルモードになる。
【００４２】
電源オンサブモード状態から電源オンフルモード状態への切替や電源オンフルモード状態から電源サブフルモード状態への切替は、表示部１６に電源オンサブモード及び電源オンフルモードの設定アイコンなどを表示させ、ボタン操作部３のキー操作で設定アイコンを選択することにより行う方式にするのが望ましい。このようにすると、電源オンサブモード状態及び電源オンフルモード状態にあるときの電源スイッチＳＷの機能は、例えば２秒以上の押圧で電源をオフする機能のみにすることができる。
【００４３】
なお、電源オンサブモード状態から電源オンフルモード状態への切替や電源オンフルモード状態から電源サブフルモード状態への切替を電源スイッチＳＷの操作で行う方式としては、電源オンサブモード状態及び電源オンフルモード状態にあるときに電源をオフする電源スイッチＳＷの操作を例えば１秒間内の２回操作とした上で、２秒以上の押圧で行なう方式もある。この場合、電源スイッチＳＷを押している間、現在の電源オンモードが電源オンサブモードにあるのか、或いは電源オンフルモードにあるのは表示部１６に表示して、現在の電源オンモード状態を使用者に再認識させるのが望ましい。
【００４４】
従って、この第３の実施の形態においても、第１の実施の形態や第２の実施の形態と同様に、電源オンサブモード状態であれば、電車の中で、ゲームや曲の再生、データ入力やデータ検索、メール文の作成などを行っていても、周囲の人のペースメーカなどに悪影響を与える恐れはなく、また周囲の人の顰蹙を買うこともない。しかも、この第３の実施の形態では、電源スイッチとして押釦式のスイッチを使用しているので、第２の実施の形態よりも機構が更に簡略化される。
【００４５】
尚、本発明は上記実施の形態に限定されることなく、その要旨を逸脱しない範囲において、具体的な構成、機能、作用、効果において、他の種々の形態によっても実施することができる。例えば、上記した例では、受話用のスピーカ１７、送話用のマイク１８、着信報知用のスピーカ１９、及び音声処理部２０は、電源オンサブモード時にも給電されるその他の回路３０の一部となっているが、これらの回路は、通信部１４と同様に電源オンフルモード時にのみ給電される構成にしてもよい。
【００４６】
また、上記した例では、携帯電話機１がオフラインモードで動作中の時、オフラインモードを周囲に明示するオフラインマーカを用いたが、オンラインモードの時にこれを示すオンラインマーカを用い、オフラインモードの時はこのオンラインマーカがオフであることにより、間接的にオフラインモードであることを周囲に知らせるようにしても良い。その場合、ＣＰＵ１１によりオンラインマーカを表示してもよいが、もっと簡便な方法として図６に示す回路をユニット化して、アンテナ７の近傍に設置し、コイル６１によりアンテナ７から出力された電波を高周波電流に戻し、得られた高周波電流をダイオード６２で整流してコンデンサ６３に一旦溜めた後、この電流によりオンラインモードを示すＬＥＤ６４を点灯させるようにしても良い。
【００４７】
また、上記実施の形態では携帯通信端末として、携帯電話機を例にとって説明したが、オフライン機能を有する携帯通信端末であれば、ＰＤＡなどの各種携帯通信端末に本発明を適用して同様の効果を得ることができる。
【００４８】
【発明の効果】
以上詳細に説明したように、請求項１の発明によれば、無線通信機能と該無線通信機能を使用すること無しに実行することが可能な付加機能とを備えた携帯通信端末において、電波を出力出来るモードと電源オン状態にありながら電波を全く出力出来ないモードとを択一的に設定するモード設定手段を設けたので、モード設定手段により端末のモードを電波を全く出力出来ないモードに設定することにより、携帯通信端末が電波を全く出力しない状態の中で付加機能を実行することができる。
請求項２の発明によれば、モード設定手段により端末のモードを電波を全く出力出来ないモードを設定すると、無線通信機能を担う回路を除いた残りの全部或いは一部の回路にのみ電源が供給されるので、通信機能は動作しないが付加機能は実行可能であり、しかも付加機能の実行は電波を全く出力しない状態の中で行うことができる。
請求項３の発明によれば、モード設定手段により端末のモードを電波を全く出力出来ないモードに設定すると、当該端末がオフライン状態にあることが周囲の人に明示することができる。
【図面の簡単な説明】
【図１】本発明の第１の実施の形態に係る携帯電話機の外観を示した斜視図である。
【図２】図１に示した携帯電話機のオフラインマーカ表示機構の一例を示すブロック図である。
【図３】図１に示した携帯電話機の回路構成を示すブロック図である。
【図４】第２の実施の形態に係る携帯電話機の回路構成を示すブロック図である。
【図５】第３の実施の形態に係る携帯電話機の回路構成を示すブロック図である。
【図６】オフラインモードであることを間接的に周囲に知らせるマーカ表示回路の構成例を示した回路図である。
【符号の説明】
１　携帯電話機
８　オフラインマーカ表示部
９　電源スイッチ
１１　ＣＰＵ
１２　ＲＯＭ
１３　ＲＡＭ
１４　通信部
１５　キー入力部
１６　表示部
１７　スピーカ
１８　マイク
１９　スピーカ
２０　音声処理部
２１　電源回路
２２、４１、５１　電源スイッチ部
２３、４２、５２　オフラインマーカ
３０　その他の回路
【図１】
2004096415.tif 000003
【図２】
2004096415.tif 000004
【図３】
2004096415.tif 000005
【図４】
2004096415.tif 000006
【図５】
2004096415.tif 000007
【図６】
2004096415.tif 000008